【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
座部と、前記座部の後側に設けられた背凭れ部と、被施療者の上半身外側部を施療するための体側施療部とを備えたマッサージ機であって、
前記体側施療部は、前記背凭れ部の両側部から前方へ向かって突出する施療体と、
前記施療体を被施療者へ接近及び離間させる揺動機構を備えていることを特徴とするマッサージ機。
【請求項２】
前記体側施療部は、前記施療体と一体となった横延部を有しており、
前記揺動機構は、背凭れ部と横延部の間に設けられていることを特徴とする請求項１に記載のマッサージ機。
【手続補正２】
【補正対象書類名】明細書
【補正対象項目名】０００２
【補正方法】変更
【補正の内容】
【０００２】
マッサージ機として、座部と背凭れ部とを備え、これらにエアセルや揉み玉などの施療具が設けられている椅子型のものがある。このようなマッサージ機は、例えば、背凭れ部に設けた揉み玉を上下に移動させつつ揉み動作や叩き動作をさせることによって、使用者に対して施療を施すことができる。また、背凭れ部の両側に体側施療部を設けることで、被施療者の両側部を施療するものも知られている。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
本発明は次の技術的手段を講じた。
【手続補正６】
【補正対象書類名】明細書
【補正対象項目名】０００６
【補正方法】変更
【補正の内容】
【０００６】
すなわち、本発明のマッサージ機は、座部と、前記座部の後側に設けられた背凭れ部と、被施療者の上半身外側部を施療するための体側施療部とを備えたマッサージ機であって、前記体側施療部は、前記背凭れ部の両側部から前方へ向かって突出する施療体と、前記施療体を被施療者へ接近及び離間させる揺動機構を備えていることを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】変更
【補正の内容】
【００１３】
前記体側施療部は、前記施療体と一体となった横延部を有しており、前記揺動機構は、背凭れ部と横延部の間に設けられていることを特徴とする。
【手続補正１４】
【補正対象書類名】明細書
【補正対象項目名】００１４
【補正方法】変更
【補正の内容】
【００１４】
本発明によれば、被施療者の体格に合わせて体側本体の位置変更が可能となる。
【手続補正１５】
【補正対象書類名】明細書
【補正対象項目名】００１６
【補正方法】変更
【補正の内容】
【００１６】
図１は本発明の実施形態に係るマッサージ機１を示す斜視図である。このマッサージ機１は椅子型として構成されたものであり、座部２と、脚載置部３と、背凭れ部４と、座部２の左右両側部に設けられた肘掛け部５と、背凭れ部４の左右両側部に設けられた体側施療部６とを備えている。なお、本実施の形態で用いる方向の概念は、座部２に着座した被施療者から見た方向の概念と一致するものとし、その他の場合は適宜説明する。
【手続補正１６】
【補正対象書類名】明細書
【補正対象項目名】００２１
【補正方法】変更
【補正の内容】
【００２１】
図２は、背凭れ部４から施療ユニットや外装カバー等を取り外した背凭れ本体１２に、体側施療部６から外装カバー等を取り外した体側本体１３が連結されている状態を示す参考発明の第１実施形態に係るマッサージ機の斜視図であり、図３（ａ）は、図２に示す構成の参考発明の第１実施形態に係るマッサージ機の側面図であり、図３（ｂ）は、図３（ａ）のＡ−Ａ線断面図であり、図４は、背凭れ本体１２から体側本体１３を切り離した参考発明の第１実施形態に係るマッサージ機の分解斜視図である。図２及び図３（ａ）に示すように、背凭れ本体１２は、正面視略矩形状に形成された本体部１４と、この本体部１４の背面側に設けられたバックカバー１５とを有している。図４に示すように、本体部１４は、一体的に成形されたものであり、左右の両縦フレーム１６と上下の両横フレーム１７とを有している。なお、各図において背凭れ本体１２の内側に収容される各部材の図示は省略するが、ここには揉み玉を有する施療ユニット等が収容される
【手続補正１７】
【補正対象書類名】明細書
【補正対象項目名】００３２
【補正方法】変更
【補正の内容】
【００３２】
図５（ａ）、（ｂ）は、参考発明の第２実施形態に係るマッサージ機３５（特に、その背凭れ本体１２及び体側本体１３）を示しており、このうち図５（ａ）は、背凭れ本体１２に体側本体１３が連結されている状態を示す側面図であり、図５（ｂ）は、その平面図である。参考発明の第２実施形態のマッサージ機３５が参考発明の第１実施形態に係るマッサージ機１と異なる点は、背凭れ本体１２のバックカバー３６の側方まで、横延部３７が延ばされている点である。より具体的には、バックカバー３６は、参考発明の第１実施形態のものよりも左右方向寸法が小さく構成されており、横延部３７は、当該バックカバー３６の後面位置まで延ばされている。
【手続補正１８】
【補正対象書類名】明細書
【補正対象項目名】００３４
【補正方法】変更
【補正の内容】
【００３４】
図６（ａ）、（ｂ）は、参考発明の第３実施形態に係るマッサージ機４０（特に、その背凭れ本体１２及び体側本体１３）を示しており、このうち図６（ａ）は、背凭れ本体１２に体側本体１３が連結されている状態を示す側面図であり、図６（ｂ）は、その平面図である。同図に示すように、延設部２６に、横延部３７からバックカバー３６（背凭れ本体１２）の後側に回り込み且つ当該バックカバー３６の後面３６ｂに当接する後延部４１が設けられている。この場合、背凭れ本体１２が、前延部３０と後延部とで挟まれた状態となっており、体側本体１３を前延部３０、横延部３７、後延部４１の３点で非常に安定した状態で背凭れ本体１２に固定することができる。なお、後延部４１をバックカバー３６にねじで固定してもよく、この場合、体側本体１３を更に安定した状態で固定することができる。
【手続補正１９】
【補正対象書類名】明細書
【補正対象項目名】００３５
【補正方法】変更
【補正の内容】
【００３５】
図７（ａ）、（ｂ）は、参考発明の第４実施形態に係るマッサージ機４３（特に、その背凭れ本体１２及び体側本体１３）を示しており、このうち図７（ａ）は、背凭れ本体１２に体側本体１３が連結されている状態を示す側面図であり、図７（ｂ）は、その平面図である。参考発明の第４実施形態が他の実施形態と異なる点は、施療体４４が、背凭れ本体１２の前面側へ倒れ込み可能となるように構成されている点である。前延部４５と、一体となった施療体４４及び横延部４６とは別部材とされており、施療体４４及び横延部４６が、背凭れ本体１２に固定された前延部４５に、当該前延部４５の外端部７０を回動中心として図示しないヒンジ部により回動自在に取り付けられている。なお、上記ヒンジ部は、体側本体１３が閉じた状態（図７（ｂ）の左側の体側本体１３の状態）と、開いた状態（図７（ｂ）の右側の体側本体１３の状態）との間でのみ、回動可能となっており、図７（ｂ）右側の状態以上に開かないように構成されている。
【手続補正２０】
【補正対象書類名】明細書
【補正対象項目名】００３９
【補正方法】変更
【補正の内容】
【００３９】
図８は、本発明の実施形態に係るマッサージ機４７を示している。本実施形態のマッサージ機４７が図５に示す参考発明の第２実施形態のマッサージ機３５と異なる主な点は、背凭れ本体１２に揺動機構４８が設けられている点である。前延部３０と、一体となった施療体２５及び横延部３７とが別部材となって構成されており、一体となっている施療体２５及び横延部３７が、当該前延部３０の外端部８０を回動中心として図示しないヒンジ部によって前延部３０に対して揺動可能に取り付けられている。
【手続補正２１】
【補正対象書類名】明細書
【補正対象項目名】００４１
【補正方法】変更
【補正の内容】
【００４１】
なお、上記で開示された実施形態はすべて例示であって制限的なものではない。延設部が、前延部、及び背凭れ本体の横側と当接する横延部を有していればよく、背凭れ本体や、施療本体の構成を適宜変更することができる。例えば、図９に示す参考発明の第１実施形態に係るマッサージ機の変形例が挙げられる。背凭れ本体１２の縦フレーム５０の前受部５１に第一貫通孔５１ａが形成されており、それと共に体側本体５２の前延部５３に当該第一貫通孔５１ａに連通する第二貫通孔５３ａが形成されている。
【手続補正２２】
【補正対象書類名】明細書
【補正対象項目名】００４５
【補正方法】変更
【補正の内容】
【００４５】
【図１】本発明の実施形態に係るマッサージ機の全体斜視図である。
【図２】参考発明の第１実施形態に係るマッサージ機の背凭れ本体に体側本体が連結された状態の斜視図である。
【図３】（ａ）は、図２の側面図であり、（ｂ）は、（ａ）のＡ−Ａ線断面図である。
【図４】参考発明の第１実施形態に係るマッサージ機の背凭れ本体から体側本体を切り離した分解斜視図である。
【図５】（ａ）は、参考発明の第２実施形態に係るマッサージ機の背凭れ本体に体側本体が連結されている状態を示す側面図であり、（ｂ）は、その平面図である。
【図６】（ａ）は、参考発明の第３実施形態に係るマッサージ機の背凭れ本体に体側本体が連結されている状態を示す側面図であり、（ｂ）は、その平面図である。
【図７】（ａ）は、参考発明の第４実施形態に係るマッサージ機の背凭れ本体に体側本体が連結されている状態を示す側面図であり、（ｂ）は、その平面図である。
【図８】本発明の実施形態に係るマッサージ機の背凭れ本体に体側本体が連結されている状態を示す平面図である。
【図９】参考発明の第１実施形態に係るマッサージ機の変形例を示す一部を切り欠いた斜視図である。